【手続補正書】
【提出日】平成24年3月8日(2012.3.8)
【手続補正１】
【補正対象書類名】特許請求の範囲
【補正対象項目名】全文
【補正方法】変更
【補正の内容】
【特許請求の範囲】
【請求項１】
通信装置と、
この通信装置の移動を監視する、ネットワーク上のサーバ装置とから構成され、
前記通信装置は、
ＧＰＳによって自装置の現在の位置情報を取得する位置情報取得手段と、
自装置の移動を検知する移動検知手段と、
通信サービス利用開始前に前記位置情報取得手段で取得した位置情報をオリジナル位置情報として前記サーバ装置に登録するオリジナル位置情報登録手段と、
電源が再投入されたとき又は前記移動検知手段が自装置の移動を検知したときに、前記位置情報取得手段で取得した位置情報を現在位置情報として記憶する現在位置情報記憶手段と、
電源が再投入されたとき又は前記移動検知手段が自装置の移動を検知したときに、前記サーバ装置から前記オリジナル位置情報を取得するオリジナル位置情報取得手段と、
電源が再投入されたとき又は前記移動検知手段が自装置の移動を検知したときに、前記オリジナル位置情報と前記現在位置情報に基づいて、自装置の移動が所定の許容範囲内かどうかを判定する判定手段とを備えることを特徴とする設置位置移動検出システム。
【請求項２】
請求項１記載の設置位置移動検出システムにおいて、
さらに、前記判定手段により自装置の移動が許容範囲外と判定された場合又は電源が再投入されたときに前記位置情報取得手段で位置情報を取得できなかった場合には、提供中の通信サービスを停止し、自装置の移動が許容範囲内と判定された場合又は前記移動検知手段が自装置の移動を検知したときに前記位置情報取得手段で位置情報を取得できなかった場合には、前記通信サービスを継続させる通信サービス制御手段と、
前記判定手段により自装置の移動が許容範囲外と判定された場合に、自装置の移動が許容範囲外であることを前記サーバ装置に通知する通知手段とを備えることを特徴とする設置位置移動検出システム。
【請求項３】
請求項２記載の設置位置移動検出システムにおいて、
前記位置情報取得手段は、一定時間毎に自装置の現在の位置情報を取得し、
前記オリジナル位置情報取得手段は、一定時間毎に前記オリジナル位置情報を取得し、
前記判定手段は、一定時間毎に自装置の移動が所定の許容範囲内かどうかを判定し、
前記通信サービス制御手段は、前記判定手段により自装置の移動が許容範囲外と判定された場合には、前記通信サービスを停止し、自装置の移動が許容範囲内と判定された場合又は一定時間毎の取得時において現在の位置情報を取得できなかった場合には、前記通信サービスを継続させることを特徴とする設置位置移動検出システム。
【請求項４】
請求項１乃至３のいずれか１項に記載の設置位置移動検出システムにおいて、
さらに、前記通信装置は、前記オリジナル位置情報を記憶するオリジナル位置情報記憶手段を備え、
前記オリジナル位置情報取得手段は、前記オリジナル位置情報記憶手段に前記オリジナル位置情報が記憶されている場合には、前記サーバ装置の代わりに、前記オリジナル位置情報記憶手段から前記オリジナル位置情報を取得することを特徴とする設置位置移動検出システム。
【請求項５】
請求項１乃至４のいずれか１項に記載の設置位置移動検出システムにおいて、
前記通信サービス制御手段は、前記通信サービスを停止させるときに、ネットワーク装置に通知することにより、前記通信サービスを停止させることを特徴とする設置位置移動検出システム。
【請求項６】
請求項５記載の設置位置移動検出システムにおいて、
前記通知手段は、前記オリジナル位置情報を取得したときに、前記判定手段の判定結果を少なくとも一度は前記ネットワーク装置に通知することを特徴とする設置位置移動検出システム。
【請求項７】
ＧＰＳによって自装置の現在の位置情報を取得する位置情報取得手段と、
自装置の移動を検知する移動検知手段と、
通信サービス利用開始前に前記位置情報取得手段で取得した位置情報をオリジナル位置情報としてネットワーク上のサーバ装置に登録するオリジナル位置情報登録手段と、
電源が再投入されたとき又は前記移動検知手段が自装置の移動を検知したときに、前記位置情報取得手段で取得した位置情報を現在位置情報として記憶する現在位置情報記憶手段と、
電源が再投入されたとき又は前記移動検知手段が自装置の移動を検知したときに、前記サーバ装置から前記オリジナル位置情報を取得するオリジナル位置情報取得手段と、
電源が再投入されたとき又は前記移動検知手段が自装置の移動を検知したときに、前記オリジナル位置情報と前記現在位置情報に基づいて、自装置の移動が所定の許容範囲内かどうかを判定する判定手段とを備えることを特徴とする通信装置。
【請求項８】
請求項７記載の通信装置において、
さらに、前記判定手段により自装置の移動が許容範囲外と判定された場合又は電源が再投入されたときに前記位置情報取得手段で位置情報を取得できなかった場合には、提供中の通信サービスを停止し、自装置の移動が許容範囲内と判定された場合又は前記移動検知手段が自装置の移動を検知したときに前記位置情報取得手段で位置情報を取得できなかった場合には、前記通信サービスを継続させる通信サービス制御手段と、
前記判定手段により自装置の移動が許容範囲外と判定された場合に、自装置の移動が許容範囲外であることを前記サーバ装置に通知する通知手段とを備えることを特徴とする通信装置。
【請求項９】
請求項８記載の通信装置において、
前記位置情報取得手段は、一定時間毎に自装置の現在の位置情報を取得し、
前記オリジナル位置情報取得手段は、一定時間毎に前記オリジナル位置情報を取得し、
前記判定手段は、一定時間毎に自装置の移動が所定の許容範囲内かどうかを判定し、
前記通信サービス制御手段は、前記判定手段により自装置の移動が許容範囲外と判定された場合には、前記通信サービスを停止し、自装置の移動が許容範囲内と判定された場合又は一定時間毎の取得時において現在の位置情報を取得できなかった場合には、前記通信サービスを継続させることを特徴とする通信装置。
【請求項１０】
請求項７乃至９のいずれか１項に記載の通信装置において、
さらに、前記オリジナル位置情報を記憶するオリジナル位置情報記憶手段を備え、
前記オリジナル位置情報取得手段は、前記オリジナル位置情報記憶手段に前記オリジナル位置情報が記憶されている場合には、前記サーバ装置の代わりに、前記オリジナル位置情報記憶手段から前記オリジナル位置情報を取得することを特徴とする通信装置。
【請求項１１】
請求項７乃至１０のいずれか１項に記載の通信装置において、
前記通信サービス制御手段は、前記通信サービスを停止させるときに、ネットワーク装置に通知することにより、前記通信サービスを停止させることを特徴とする通信装置。
【請求項１２】
請求項１１記載の通信装置において、
前記通知手段は、前記オリジナル位置情報を取得したときに、前記判定手段の判定結果を少なくとも一度は前記ネットワーク装置に通知することを特徴とする通信装置。
【手続補正２】
【補正対象書類名】明細書
【補正対象項目名】００１０
【補正方法】変更
【補正の内容】
【００１０】
本発明の設置位置移動検出システムは、通信装置と、この通信装置の移動を監視する、ネットワーク上のサーバ装置とから構成され、前記通信装置は、ＧＰＳによって自装置の現在の位置情報を取得する位置情報取得手段と、自装置の移動を検知する移動検知手段と、通信サービス利用開始前に前記位置情報取得手段で取得した位置情報をオリジナル位置情報として前記サーバ装置に登録するオリジナル位置情報登録手段と、電源が再投入されたとき又は前記移動検知手段が自装置の移動を検知したときに、前記位置情報取得手段で取得した位置情報を現在位置情報として記憶する現在位置情報記憶手段と、電源が再投入されたとき又は前記移動検知手段が自装置の移動を検知したときに、前記サーバ装置から前記オリジナル位置情報を取得するオリジナル位置情報取得手段と、電源が再投入されたとき又は前記移動検知手段が自装置の移動を検知したときに、前記オリジナル位置情報と前記現在位置情報に基づいて、自装置の移動が所定の許容範囲内かどうかを判定する判定手段とを備えることを特徴とするものである。
また、本発明の設置位置移動検出システムは、さらに、前記判定手段により自装置の移動が許容範囲外と判定された場合又は電源が再投入されたときに前記位置情報取得手段で位置情報を取得できなかった場合には、提供中の通信サービスを停止し、自装置の移動が許容範囲内と判定された場合又は前記移動検知手段が自装置の移動を検知したときに前記位置情報取得手段で位置情報を取得できなかった場合には、前記通信サービスを継続させる通信サービス制御手段と、前記判定手段により自装置の移動が許容範囲外と判定された場合に、自装置の移動が許容範囲外であることを前記サーバ装置に通知する通知手段とを備えることを特徴とするものである。
【手続補正３】
【補正対象書類名】明細書
【補正対象項目名】００１２
【補正方法】変更
【補正の内容】
【００１２】
また、本発明の通信装置は、ＧＰＳによって自装置の現在の位置情報を取得する位置情報取得手段と、自装置の移動を検知する移動検知手段と、通信サービス利用開始前に前記位置情報取得手段で取得した位置情報をオリジナル位置情報としてネットワーク上のサーバ装置に登録するオリジナル位置情報登録手段と、電源が再投入されたとき又は前記移動検知手段が自装置の移動を検知したときに、前記位置情報取得手段で取得した位置情報を現在位置情報として記憶する現在位置情報記憶手段と、電源が再投入されたとき又は前記移動検知手段が自装置の移動を検知したときに、前記サーバ装置から前記オリジナル位置情報を取得するオリジナル位置情報取得手段と、電源が再投入されたとき又は前記移動検知手段が自装置の移動を検知したときに、前記オリジナル位置情報と前記現在位置情報に基づいて、自装置の移動が所定の許容範囲内かどうかを判定する判定手段とを備えることを特徴とするものである。
また、本発明の通信装置は、さらに、前記判定手段により自装置の移動が許容範囲外と判定された場合又は電源が再投入されたときに前記位置情報取得手段で位置情報を取得できなかった場合には、提供中の通信サービスを停止し、自装置の移動が許容範囲内と判定された場合又は前記移動検知手段が自装置の移動を検知したときに前記位置情報取得手段で位置情報を取得できなかった場合には、前記通信サービスを継続させる通信サービス制御手段と、前記判定手段により自装置の移動が許容範囲外と判定された場合に、自装置の移動が許容範囲外であることを前記サーバ装置に通知する通知手段とを備えることを特徴とするものである。